(57)【要約】      （修正有）【課題】省エネ・二酸化炭素削減を達成する、電器待機節電制御装置を提供する。【解決手段】節電メッセージ・アクセスインターフェース４７と、節電メッセージ保存装置４６とからなる。節電メッセージ保存装置４６には、節電メッセージＳが保存される。更にリーダー５が、節電メッセージ・アクセスインターフェース４７を通じ且つ所定の通信協定に基づいて、節電メッセージ保存装置４６に保存された節電メッセージＳを読取る。【選択図】図２
0003198929.tif 000002
【実用新案登録請求の範囲】
【請求項１】
電源と電気機器の間における電源回路に接続される電器待機節電制御装置であって、
前記電器待機節電制御装置は、回路スイッチと、電流検測ユニットと、処理ユニットと、
メモリーユニットと、電力供給ユニットとからなり、
前記回路スイッチは、前記電源と前記電気機器の間における前記電源回路に設けられ、
前記電気機器は、オンモード・待機モード・オフモードを有し、
前記オンモードの時に前記電源回路を通る電流値をオン電流値と定義し、前記待機モード
の時に前記電源回路を通る電流値を待機電流値と定義し、
前記電流検測ユニットは、前記電源回路を通る前記オン電流値と前記待機電流値を検測す
るために、前記電源回路と接続され、
前記メモリーユニットは、前記処理ユニットと接続されるとともに、前記メモリーユニッ
トには前記オン電流値と前記待機電流値が保存され、
前記電力供給ユニットは、前記処理ユニットに電力を供給するために、前記電源回路と接
続され、
前記処理ユニットは、前記電気機器が前記待機モードにおいて所定の計測時間になった後
、前記回路スイッチをオンにするように制御し、これにより前記電気機器は前記オフモー
ドになり、
前記処理ユニットは、前記回路スイッチがオンになった時、前記電気機器が前記オンモー
ドに戻るまでの電源切断期間値を検測し、更に前記電源切断期間値と前記待機電流値に基
づいた計算によって節電メッセージを産出し、
更に、
前記電器待機節電制御装置には、節電メッセージ保存装置と、節電メッセージ・アクセス
インターフェースが設けられ、
前記節電メッセージ保存装置は、前記節電メッセージを保存するために、前記処理ユニッ
トと接続され、
前記節電メッセージ・アクセスインターフェースは、リーダーが前記節電メッセージ・ア
クセスインターフェースを通じ且つ所定の通信協定に基づいて、前記節電メッセージ保存
装置に保存された前記節電メッセージを読取るために、前記処理ユニットと接続されるこ
とを特徴とする、電器待機節電制御装置。
【請求項２】
前記節電メッセージ・アクセスインターフェースは、周波数通信インターフェース・ｗｉ
ｆｉ通信インターフェース・ブルートゥース通信インターフェースの中のいずれか一つで
あることを特徴とする、請求項１に記載の電器待機節電制御装置。
【請求項３】
前記節電メッセージ・アクセスインターフェースは、接続伝送インターフェースであるこ
とを特徴とする、請求項１に記載の電器待機節電制御装置。
【請求項４】
前記電器待機節電制御装置には、更に着脱式データ保存装置が設けられ、
前記着脱式データ保存装置は、前記節電メッセージを保存するために、前記処理ユニット
と接続されることを特徴とする、請求項１に記載の電器待機節電制御装置
【考案の詳細な説明】
【技術分野】
【０００１】
本考案は、電器待機節電制御装置に関し、特に、節電メッセージを保存することが出来る
、電器待機節電制御装置に関する。
【背景技術】
【０００２】
電子関連技術が発展し、日々成熟する中で、各種電気機器製品と世界中の人々の生活スタ
イルは切り離せないものになってきている。一般的に使用者は、次に使う時に備えて、こ
れらの電気機器を使用していない時にも待機モードのままにしておく。待機モードの間、
電気機器と電源の間における回路は切断されておらず、電気機器は少量の電力を消費し続
ける。この電力は、一般的に待機電力と呼ばれる。
【０００３】
一つ一つの電気機器が待機状態の時に消費する電力は多くないものの、複数の電気機器が
待機モード中に消費する電力を合計した場合、累積される電力は無視出来ないものとなる
。これは、エネルギーを浪費するだけでなく、無駄な電気代を増やすことになり、現在の
省エネを重視する傾向に反している。
【０００４】
従来技術において、どのような節電装置を電気機器と接続させて使用したとしても、使用
者は何の節電メッセージも受け取ることが出来ず、節電装置を使用した後にどれだけの電
気が節約されたのかを知ることが出来ない。更には、購入した節電装置が節電の役割を果
たしているのかどうか、全く分からない場合もある。
【０００５】
効果的に節電装置を使用した節電を促し、二酸化炭素削減を達成することは、この業種に
携わる者が解決を望む研究課題であるとともに、電気機器を使用する全ての人が日々直面
する共通の問題の解決にもつながる。
【考案の概要】
【考案が解決しようとする課題】
【０００６】
上記に鑑み本考案は、節電制御装置本体が節約された電力を計算するとともに、リーダー
が節電メッセージ・アクセスインターフェースを通じ且つ所定の通訊協定に基づいて、節
電メッセージ保存装置に保存された節電メッセージを読取り、更に統計と記録を行う、電
器待機節電制御装置を提供することを目的とする。
【課題を解決するための手段】
【０００７】
上述の目的を達成するために、本考案の電器待機節電制御装置は、電源と電気機器の間に
接続される。前記電器待機節電制御装置は、節電メッセージ・アクセスインターフェース
と、節電メッセージ保存装置からなるとともに、前記節電メッセージ保存装置には、節電
メッセージが保存される。更にリーダーが、前記節電メッセージ・アクセスインターフェ
ースを通じ且つ所定の通信協定に基づいて、前記節電メッセージ保存装置に保存された前
記節電メッセージを読取る。
【考案の効果】
【０００８】
本考案は、節約された電力を明確に読取って統計と記録を行うとともに、簡便且つ即時的
に節電メッセージを送ることが出来る。よって、効果的に節電装置を使用した省エネを促
し、更に二酸化炭素削減を達成することが出来る。
【図面の簡単な説明】
【０００９】
【図１】本考案の回路のブロック図である。
【図２】本考案の実施例１の電器待機節電制御装置の制御回路図である。
【図３】本考案のリーダーの制御回路図である。
【図４】本考案の実施例２の電器待機節電制御装置の制御回路図である。
【考案を実施するための形態】
【００１０】
図１を参照する。複数のユーザー１００・１００ａ…１００ｎにおいて、電源１と電気機
器２の間における電源回路３１・３２には、電器待機節電制御装置４が接続される。また
、各電器待機節電制御装置４における節電メッセージＳは、リーダー５によって読取られ
る。更にリーダー５は、各ユーザー１００・１００ａ…１００ｎの電器待機節電制御装置
４の節電メッセージＳを読取って集めた後、有線・無線・インターネット・イントラネッ
ト…等によってコントロールセンター６へ送る。また、各電器待機節電制御装置４には識
別コードが設けられることにより、リーダー５が読取る時に異なるユーザーの電器待機節
電制御装置４を認識することが出来る。
【００１１】
（実施例１）
図２を参照する。図は、実施例２の電器待機節電制御装置４の制御回路図である。電器待
機節電制御装置４は、回路スイッチ４１と、電流検測ユニット４２と、処理ユニット４３
と、メモリーユニット４４と、電力供給ユニット４５と、節電メッセージ保存装置４６と
、節電メッセージ・アクセスインターフェース４７とからなる。
【００１２】
回路スイッチ４１は、電源回路３１・３２に設けられる。また電気機器２は、オンモード
・待機モード・オフモードを有する。尚、オンモードの時に電源回路３１・３２を通る電
流値をオン電流値Ｉ１と定義し、待機モードの時に電源回路３１・３２を通る電流値を待
機電流値Ｉ２と定義する。
【００１３】
電流検測ユニット４２は、電源回路３１・３２に接続されるとともに、電源回路３１・３
２を通過するオン電流値Ｉ１と待機電流値Ｉ２を検測する。更に処理ユニット４３は、オ
ン電流値Ｉ１と待機電流値Ｉ２をメモリーユニット４４に保存する。
【００１４】
電力供給ユニット４５は、電源回路３１・３２に接続されるとともに、処理ユニット４３
に電力を供給する。処理ユニット４３は、電気機器２が待機モードにおいて所定の計測時
間Ｔ１になった後、回路スイッチ４１をオンにするよう制御し、これにより電気機器２は
オフモードになる。
【００１５】
処理ユニット４３は、回路スイッチ４１がオンになった時、電気機器２がオンモードに戻
るまでの電源切断期間値Ｔ２を検測し、更に電源切断期間値Ｔ２と待機電流値Ｉ２に基づ
いた計算によって節電メッセージＳを産出するとともに、節電メッセージＳを節電メッセ
ージ保存装置４６に保存する。
【００１６】
節電メッセージ保存装置４６と節電メッセージ・アクセスインターフェース４７は、処理
ユニット４３と接続される。節電メッセージ・アクセスインターフェース４７は、周波数
通信インターフェース・ｗｉｆｉ通信インターフェース・ブルートゥース通信インターフ
ェースの中のいずれか一つである。異なるインターフェースのタイプに応じて、所定の通
信協定４８が設定されることにより、同様の所定の通信協定が設定されたリーダー５は、
節電メッセージ・アクセスインターフェース４７から節電メッセージ保存装置４６に保存
された節電メッセージＳを読取ることが出来る。
【００１７】
電器待機節電制御装置４には、更に着脱式データ保存装置４９が処理ユニット４３と接続
されて設けられることにより、節電メッセージＳを保存することが出来る。また使用者は
、着脱式データ保存装置４９を抜差しすることで、処理ユニット４３と切離したり接続し
たりすることが出来る。
【００１８】
図３は、本考案のリーダー５の制御回路図である。リーダー５は、無線受信器５１と、所
定の通信協定５２と、リーダー処理ユニット５３と、操作ユニット５４と、読取りメッセ
ージ保存装置５５とからなる。リーダー５は、無線受信器５１によって、異なるユーザー
の電器待機節電制御装置４における節電メッセージ・アクセスインターフェース４７を通
じ且つ同様の所定の通信協定に基づいて、各電器待機節電制御装置４の節電メッセージ保
存装置４６に保存された節電メッセージＳを読取るとともに、読取りメッセージ保存装置
５５に集めて保存することにより、各ユーザーの節電メッセージＳ’を産出する。
【００１９】
（実施例２）
図４は、本考案の実施例２の電器待機節電制御装置の制御回路図である。尚、実施例２の
構造は実施例１とほぼ同様であるため、同じ部品については同じ符号で示して対応させる
。実施例２において、処理ユニット４３は、接続伝送インターフェース７と接続される。
またリーダー５は、伝送コード７１によって節電メッセージ保存装置４６に保存された節
電メッセージＳを読取る。
【符号の説明】
【００２０】
１００               ユーザー
１００ａ…１００ｎ   ユーザー
１                   電源
２                   電気機器
３１                 電源回路
３２                 電源回路
４                   電器待機節電制御装置
５                   リーダー
６                   コントロールセンター
４１                 回路スイッチ
４２                 電流検測ユニット
４３                 処理ユニット
４４                 メモリーユニット
４５                 電力供給ユニット
４６                 節電メッセージ保存装置
４７                 節電メッセージ・アクセスインターフェース
４８                 所定の通信協定
４９                 着脱式データ保存装置
５１                 無線受信器
５２                 所定の通信協定
５３                 リーダー処理ユニット
５４                 操作ユニット
５５                 読取りメッセージ保存装置
７                   接続伝送インターフェース
７１                 伝送コード
Ｓ                   節電メッセージ
Ｓ’                 各ユーザーの節電メッセージ
Ｉ１                 オン電流値
Ｉ２                 待機電流値
Ｔ１                 所定の計測時間
Ｔ２                 電源切断期間値
【図１】
0003198929.tif 000003
【図２】
0003198929.tif 000004
【図３】
0003198929.tif 000005
【図４】
0003198929.tif 000006